(57)【要約】【課題】  施設利用者に利用状況に応じて適切な課金を行い、利用者の納得度の向上を図ることができる課金方法を提供すること。【解決手段】  利用者にて利用されるトレーニング施設において、利用者に課金する金額をコンピュータにて算定する課金方法であって、コンピュータが、トレーニング施設の利用後における利用者の身体に関するデータを表す利用後身体データと、この利用後身体データに対応する基準身体データと、に基づいて利用者に対する課金金額を算定する。【選択図】図１
2006079329.tif 000002
【特許請求の範囲】
【請求項１】
利用者にて利用されるトレーニング施設において、前記利用者に課金する金額をコンピュータにて算定する課金方法であって、
前記コンピュータが、前記トレーニング施設の利用後における前記利用者の身体に関するデータを表す利用後身体データと、この利用後身体データに対応する基準身体データと、に基づいて前記利用者に対する課金金額を算定する、ことを特徴とする課金方法。
【請求項２】
前記コンピュータが、前記利用後身体データと前記基準身体データとを比較して、その比較結果に応じて前記課金金額を算定する、ことを特徴とする請求項１記載の課金方法。
【請求項３】
前記コンピュータが、前記利用後身体データと前記基準身体データとの差分を算出して、当該差分に基づいて前記課金金額を算定する、ことを特徴とする請求項２記載の課金方法。
【請求項４】
前記コンピュータが、前記差分と、当該差分に応じた課金金額が予め設定された課金マップデータと、に基づいて前記課金金額を算定する、ことを特徴とする請求項３記載の課金方法。
【請求項５】
前記基準身体データは、前記利用後身体データに対応する前記利用者の身体に関するデータであり、前記トレーニング施設の利用前におけるものである、ことを特徴とする請求項１，２，３又は４記載の課金方法。
【請求項６】
前記基準身体データは、前記利用後身体データに対応する前記利用者の身体に関するデータであり、予め定められた目標値である、ことを特徴とする請求項１，２，３又は４記載の課金方法。
【請求項７】
前記コンピュータが、前記利用者による前記トレーニング施設の利用前に前記基準身体データの入力を受け付けて記憶し、前記トレーニング施設の利用後における前記利用後身体データの入力を受け付け、当該利用後身体データと前記基準身体データとに基づいて前記課金金額を算定する、ことを特徴とする、ことを特徴とする請求項５記載の課金方法。
【請求項８】
前記コンピュータが、同一の日に受け付けた前記基準身体データと前記利用後身体データとに基づいて前記課金金額を算定する、ことを特徴とする、ことを特徴とする請求項７記載の課金方法。
【請求項９】
前記コンピュータが、前記基準身体データと、当該基準身体データの入力を受け付けた日から所定の日数が経過した後に入力を受け付けた前記利用後身体データとに基づいて前記課金金額を算定する、ことを特徴とする、ことを特徴とする請求項７記載の課金方法。
【請求項１０】
前記利用後身体データは、前記利用者の少なくとも１つの身体要素を計測したデータである、ことを特徴とする請求項１，２，３，４，５，６，７，８又は９記載の課金方法。
【請求項１１】
前記利用後身体データは、前記利用者の少なくとも１つの身体要素を計測して、当該計測結果に応じて算出されたデータである、ことを特徴とする請求項１０記載の課金方法。
【請求項１２】
前記利用後身体データは、前記トレーニング施設によるトレーニングに関連した前記利用者の動作を計測したデータである、ことを特徴とする請求項１，２，３，４，５，６，７，８又は９記載の課金方法。
【請求項１３】
利用者にて利用されるトレーニング施設において、前記利用者に課金する金額を算定する課金システムであって、
前記トレーニング施設の利用後における前記利用者の身体に関するデータを表す利用後身体データを取得する身体データ取得手段と、
前記利用後身体データに対応する基準身体データを予め記憶する基準身体データ記憶手段と、を備え、
前記利用後身体データと前記基準身体データとに基づいて前記利用者に対する課金金額を算定する課金金額算定手段と、を備えたことを特徴とする課金システム。
【請求項１４】
前記基準身体データは、前記トレーニング施設の利用前における前記利用者の身体に関するデータであり、
前記身体データ取得手段が、前記基準身体データを取得して前記基準身体データ記憶手段に記憶する、ことを特徴とする請求項１３記載の課金システム。
【請求項１５】
利用者にて利用されるトレーニング施設において、前記利用者に課金する金額を算定する課金システム用コンピュータであって、
前記トレーニング施設の利用後における前記利用者の身体に関するデータを表す利用後身体データと、当該利用後身体データに対応する基準身体データと、に基づいて前記利用者に対する課金金額を算定する課金金額算定手段を備えた、ことを特徴とする課金システム用コンピュータ。
【請求項１６】
利用者にて利用されるトレーニング施設において、前記利用者に課金する金額を算定する課金システム用コンピュータに、
前記トレーニング施設の利用後における前記利用者の身体に関するデータを表す利用後身体データと、当該利用後身体データに対応する基準身体データと、に基づいて前記利用者に対する課金金額を算定する課金金額算定手段、を実現するための課金用プログラム。
【発明の詳細な説明】
【技術分野】
【０００１】
本発明は、課金方法にかかり、特に、所定の施設を提供する施設側が、当該施設を利用する利用者に対して課金を行う方法に関する。
【背景技術】
【０００２】
従来より、健康維持のための運動や体力向上のためのトレーニングを行うフィットネスクラブなどでは、当該クラブ施設を利用した回数に応じた利用料を課金したり、月単位にて定額の利用料を課金したりしている。例えば、利用可能な時間帯をＰＭ６：００〜ＰＭ１０：００までとし、その時間帯であれば、平日は何度でも利用可というコースを設定し、その利用料として月額１万円を課金する、などの料金設定を行っている。かかる料金体系にすることにより、利用者にとってはわかりやすく、利用料金の支払いが容易であって便利であり、また、頻繁に利用する利用者にとってはコストパフォーマンスに優れる。
【０００３】
【特許文献１】特開２００３−１６１６７号公報
【発明の開示】
【発明が解決しようとする課題】
【０００４】
しかしながら、フィットネスクラブなどのトレーニング施設に上述したような目的で頻繁に通うものの、その効果が現れない者に対しても同額の料金が課せられるため、不満が生じる利用者も存在する。さらに、そのことが一般人の新規加入を妨げている要因ともなっている。
【０００５】
一方で、上記問題点に関連して、上記の特許文献１に示すように、エネルギープラントなどにおいて、エネルギー効率などの解析を委託された解析受託者がシミュレーションにて解析依頼者の利得を算出し、この利得に応じて受託者が依頼者に解析料金を課金する、という方法が開示されている。すなわち、解析を委託した件数に応じて固定的な料金が設定されているわけでなく、解析作業の成果である依頼者が得られるであろう利益の額に応じた料金が設定され、受託者が請求する、という方法である。
【０００６】
ところが、上述したような課金方法を参照したとしても、クラブの利用によって利用者が金銭的な利得を得ることはありえないため、そのような利得の一部をクラブ側に支払うべき利用料として課金する、という課金方法は考えることはできず、効果的に適用することは考えられない。
【０００７】
以上より、従来技術では、施設利用者に対して適切な課金を行うことが実現されていないため、上記問題点を解決すべく、本発明では、施設利用者に利用状況に応じて適切な課金を行い、利用者の納得度の向上を図ることができる課金方法、課金システム、及び、課金用プログラムを提供することをその目的とする。
【課題を解決するための手段】
【０００８】
そこで、本発明である課金方法は、
利用者にて利用されるトレーニング施設において、利用者に課金する金額をコンピュータにて算定する課金方法であって、
コンピュータが、トレーニング施設の利用後における利用者の身体に関するデータを表す利用後身体データと、この利用後身体データに対応する基準身体データと、に基づいて利用者に対する課金金額を算定する、ことを特徴としている。
【０００９】
上記発明によると、トレーニング施設を利用した利用者に課金される利用料が、コンピュータにて、トレーニング施設を利用した後における利用者の体重や体脂肪、さらには、水泳のタイムやゴルフの飛距離などの動作を含む身体データと、これの基準となる基準身体データとに基づいて算定される。従って、トレーニングの成果に応じて課金される金額が決定されるため、利用者にとって課金される金額はより納得できるものとなり、当該利用者の利用促進を高め、さらには、新規利用者の参入の促進を図ることができる。
【００１０】
また、コンピュータが、利用後身体データと基準身体データとを比較して、その比較結果に応じて課金金額を算定する、ことを特徴としている。さらに、コンピュータが、利用後身体データと基準身体データとの差分を算出して、当該差分に基づいて課金金額を算定する、ことを特徴としている。このとき、特に、コンピュータが、差分と、当該差分に応じた課金金額が予め設定された課金マップデータと、に基づいて課金金額を算定する、ことを特徴としている。
【００１１】
上記構成にすることにより、トレーニング施設を利用した後における利用者の身体データと、基準身体データとを比較し、特に、差分を算出することで、よりトレーニングの成果に対応した利用料を課金する金額として算定することができる。従って、利用者の課金金額に対する納得度をより高めることができる。さらに、差分と金額とのマップデータを予め用意しておき、これに基づいて課金金額を算定することで、算定処理の迅速化を図ることができ、利用者の支払い手続きを迅速に行うことができる。
【００１２】
また、基準身体データは、利用後身体データに対応する利用者の身体に関するデータであり、トレーニング施設の利用前におけるものである、ことを特徴としている。これにより、利用者の施設の利用前後における身体データに基づいて課金金額が求められるため、よりトレーニングの成果が反映され、利用者にとって納得度の高い課金金額を算定することができる。
【００１３】
また、基準身体データは、利用後身体データに対応する利用者の身体に関するデータであり、予め定められた目標値である、ことを特徴としている。これにより、利用者あるいは施設インストラクターなどによって目標とされる値が設定され、かかる値と利用後身体データとに基づいて課金金額が設定される。従って、目標に対する成果に応じた課金も行うことができ、利用者にとって納得度の高い課金金額を算定することができる。
【００１４】
また、コンピュータが、利用者によるトレーニング施設の利用前に基準身体データの入力を受け付けて記憶し、トレーニング施設の利用後における利用後身体データの入力を受け付け、当該利用後身体データと基準身体データとに基づいて課金金額を算定する、ことを特徴としている。
【００１５】
これにより、まず、トレーニング施設の利用前における身体データや目標値データが入力されて記憶保持される。その後、利用後における身体データが入力される。そして、記憶されている基準データと、利用後の身体データとに基づいて、課金金額が算定される。従って、利用後の身体データと比較される基準データが、利用後身体データ入力時には既にコンピュータに記憶されているため、課金金額の算定処理を迅速に行うことができ、利用者の利便性の向上を図ることができる。
【００１６】
また、コンピュータが、同一の日に受け付けた基準身体データと利用後身体データとに基づいて課金金額を算定する、ことを特徴としている。あるいは、コンピュータが、基準身体データと、当該基準身体データの入力を受け付けた日から所定の日数が経過した後に入力を受け付けた利用後身体データとに基づいて課金金額を算定する、ことを特徴としている。
【００１７】
これにより、その日のうちの成果に対応して課金することができ、あるいは、長期的な成果を考慮して課金することもできる。従って、利用者の施設の利用目的に応じて課金を実施することができ、より利便性の向上を図ることができる。
【００１８】
さらに、利用後身体データは、利用者の少なくとも１つの身体要素を計測したデータである、ことを特徴としている。このとき、利用後身体データは、利用者の少なくとも１つの身体要素を計測して、当該計測結果に応じて算出されたデータである、ことを特徴としている。また、利用後身体データは、施設によるトレーニングに関連した利用者の動作を計測したデータである、ことを特徴としている。
【００１９】
これにより、利用者の体重や体脂肪率のほか、水泳にて泳いだタイムやゴルフでの飛距離など、種々のトレーニングの成果に応じて課金金額を算定することができる。
【００２０】
また、本発明では、上記方法を実現するための課金システムを提供しており、
利用者にて利用されるトレーニング施設において、利用者に課金する金額を算定する課金システムであって、
トレーニング施設の利用後における利用者の身体に関するデータを表す利用後身体データを取得する身体データ取得手段と、
利用後身体データに対応する基準身体データを予め記憶する基準身体データ記憶手段と、を備え、
利用後身体データと基準身体データとに基づいて利用者に対する課金金額を算定する課金金額算定手段と、を備えたことを特徴としている。
【００２１】
そして、基準身体データは、トレーニング施設の利用前における利用者の身体に関するデータであり、
身体データ取得手段が、基準身体データを取得して基準身体データ記憶手段に記憶する、ことを特徴としている。
【００２２】
また、本発明では、利用者にて利用されるトレーニング施設において、利用者に課金する金額を算定する課金システム用コンピュータをも提供しており、
トレーニング施設の利用後における利用者の身体に関するデータを表す利用後身体データと、利用後身体データに対応する基準身体データと、に基づいて利用者に対する課金金額を算定する課金金額算定手段を備えた、ことを特徴としている。
【００２３】
さらに、本発明では、上記コンピュータに、上述した課金金額算定手段、を実現するための課金用プログラムをも提供している。
【００２４】
上記構成の課金システム、コンピュータ、プログラムであっても、上述した課金方法と同様に作用するため、上記本発明の目的を達成することができる。
【発明の効果】
【００２５】
本発明は、以上のように構成され機能するので、これによると、トレーニング施設を利用する利用者による施設利用の成果に応じて適切な課金が行われるため、利用者の納得度の高い課金を行うことができ、当該利用者の利用促進を高め、さらには、新規利用者の参入の促進を図ることができる、という従来にない優れた効果を有する。また、利用者に施設利用の成果に対する意識を高めることとなり、さらなる利用促進を図ることができる。
【発明を実施するための最良の形態】
【００２６】
本発明は、コンピュータを用いて、フィットネスクラブなどの利用者の施設利用後の身体データを取得し、施設利用に対する成果に応じて課金を行う、という点に特徴を有する。以下、実施例ではトレーニング施設をフィットネスクラブであるとして説明するが、必ずしもフィットネスクラブであることに限られず、スイミングスクールやゴルフレッスンなどの施設であってもよい。すなわち、利用者があるスポーツに関するレッスンを受けることも本発明で言うトレーニング施設の利用に該当する。
【実施例１】
【００２７】
本発明の第１の実施例を、図１乃至図６を参照して説明する。図１乃至図２は、課金システムの構成を示すブロック図である。図３乃至図４は、課金金額の算定に使用するデータの一例を示す説明図である。図５乃至図６は、課金システムの動作を示す図である。
【００２８】
＜全体構成＞
本発明の特徴となる課金方法を実現するための課金システムの構成を、図１乃至図４を参照して説明する。まず、図１には、課金システムの全体構成を示す。この図に示すように、課金システムは、主に課金金額を算定する課金処理サーバ１と、この課金サーバ１にＬＡＮ４などのネットワークを介して接続された会計端末２及び計測端末３と、を備えた構成を採っている。そして、上記構成の課金システムは、フィットネスクラブなどの所定のトレーニング施設に設置されており、利用者に支払いを求める利用料を提示するよう作動するものである。
【００２９】
但し、上記システムを構成するサーバ１や端末２，３は、一台のコンピュータにて構成されていてもよい。また、各コンピュータ１，２，３を接続するネットワークはＬＡＮ４であることに限定されず、インターネット網にて接続されていてもよい。例えば、課金処理サーバ１は施設外に設置されていてもよく、複数の支店を有するフィットネスクラブにおいては、当該課金処理サーバ１は、各支店に設置された会計端末２の全てに接続され、全店における利用者のデータを管理して課金金額を算定するよう作動してもよい。以下、各構成１，２，３について詳述する。
【００３０】
＜計測端末＞
計測端末３は、フィットネスクラブの施設内に設置されており、後述するように接続されたヘルスメータ３１などの利用者の身体データを取得する装置と共に、身体データ取得手段として機能する。この計測端末３は、一般的なコンピュータにて形成されており、入力部が備わっていて、利用者が自己に与えられた固有の利用者コードを入力することが可能である。例えば、タッチパネル式の画面が備えられていて、利用者コードを入力してもよく、あるいは、利用者コードが磁気記録された会員カードを挿入するインタフェースが備えられていて、当該カードに記憶された利用者コードを読み込ませることで入力することも可能である。
【００３１】
また、この計測端末３には、図１に示すように、ヘルスメータ３１などの利用者の身体データを取得する装置が接続されており、当該装置にて計測された身体データを読み取るよう構成されている。これにより、利用者の身体データを計測すると同時に、計測端末３が当該身体データを取得することとなる。なお、利用者の身体データは、計測端末３に形成されたタッチパネル式の入力部から入力されてもよい。すなわち、利用者は、身体データを他の計測装置にて計測し、計測した項目（体重、身長など）を指定する情報を入力すると共に、計測した身体データを入力する。なお、利用者の身体データとしては、身長や体重、胸囲、ウエスト、体脂肪率、などがある。
【００３２】
さらに、計測端末３に形成された入力部からは、利用者の計測がフィットネスクラブの施設を利用する前であるか、あるいは、利用した後であるか、を指定する情報を入力することが可能である。例えば、「利用前」、「利用後」ボタンが用意されていて、いずれかを入力することで、計測されたデータが、利用者のいかなる場合における計測データであるかを端末３が識別することができる。
【００３３】
そして、計測端末３は、取得した計測データをＬＡＮ４を経由して課金処理サーバ１に送信する機能を有する。このとき、月日、時刻、利用者コード、施設の利用前か後か、計測項目、計測データ、などを送信し、利用者コードを参照して利用者ごとに利用者データベース１６として蓄積される。これについては後述する。
【００３４】
ここで、計測対象となる身体データは、必ずしも利用者の少なくとも１つの身体要素（身長や体重など）を計測したデータであることに限定されない。これら計測したデータから所定の算出ルールにて算出されたデータであってもよい（体脂肪率など）。さらには、身体データには、フィットネスクラブ内のトレーニング施設によるトレーニングに関連した利用者の動作を計測したデータ、例えば、プールを利用した結果の成果である水泳にて泳いだタイムや、ゴルフの打ちっぱなし施設を利用した成果であるゴルフでの飛距離なども、利用者の身体データに含まれる。なお、かかる例については、実施例２にて詳述する。
【００３５】
＜会計端末＞
会計端末２は、フィットネスクラブの会計カウンターに設置されており、利用者自身やスタッフにより操作される。そして、タッチパネルなどの入力装置や、会員カードを読み取るカードリーダなどを備え、利用者コードが入力されると、利用者が退店することを認識し、ＬＡＮ４を通じて会計要求を課金処理サーバ１に送信する。また、この会計要求に対する課金処理サーバ１からの返答として、算定された利用者に対する課金金額を受信し、これを表示部に表示する。そして、この課金金額を見た施設スタッフが利用者に要求したり、あるいは、表示部の課金金額を見た利用者が、当該金額を会計端末２に形成された金銭投入部に紙幣や硬貨を投入することにより、会計が完了する。
【００３６】
＜課金処理サーバ＞
課金処理サーバ１は、一般的なサーバコンピュータにて構成されており、演算処理を行うＣＰＵ（１Ａ）と、所定の情報を記憶する記憶装置としてのハードディスク（１Ｂ）とを備えている。そして、ハードディスク（１Ｂ）には、図３に示すように、計測端末３にて計測され送信されてきた利用者ごとの身体データが、利用者データベース１６として記憶されることとなる。すなわち、基準身体データ記憶手段として機能している。また、利用者による施設利用の成果に応じた課金金額、例えば、図４（ａ）に示すように、施設を利用した結果、減量した体重（差分）に応じた課金金額が表された課金マップデータ１７が予め用意されて記憶されている。なお、課金マップデータ１７については、後に詳述する。
【００３７】
そして、ＣＰＵ（１Ａ）には、予め用意された課金用プログラムが組み込まれることで、入力受付処理部１１、データ管理処理部１２、課金算出処理部１３、会計出力処理部１４が構築され、課金金額算定手段として作動する。なお、ＣＰＵ（１Ａ）には、課金処理を行うための他の処理部も構築されるが、それらの説明は省略する。以下、上記各処理部１１，１２，１３，１４の詳細を説明する。
【００３８】
上記入力受付処理部１１は、計測端末３から送信された利用者の身体データを受信する。また、当該身体データと共に送信された利用者コードや施設の利用前か後かを特定するデータ、身体データのどの部位であるかを特定する項目データ、計測時刻データなどを受信し、これにより、いかなる利用者のどの部位の身体データであるかなどを認識することが可能となる。そして、これらのデータを関連付けた状態でデータ管理処理部１２に通知する。
【００３９】
また、入力受付処理部１１は、会計端末２から会計要求を受信すると共に、利用者コードをも受信すると、かかる場合には、課金算出処理部１３に会計要求及び利用者コードを通知する。
【００４０】
そして、入力受付処理部１１から身体データの通知を受けたデータ管理処理部１２は、通知されたデータを利用者データベース１６に登録する。このとき、利用者コードをキーとして、当該利用者のレコードを利用者データベース１６から読み出し、該当する欄に身体データを入力する。例えば、本日の日にちが６月１４日であり、かかる日にちの欄が形成されていない場合には本日の日にちが入力された「列」を形成し、施設の「利用前」の体重データであれば、かかる日にちの「前」と表示された列に位置する「体重」欄に、通知された計測データの数値を入力する。また、既に本日の日にちが入力されており、通知を受けたデータが、施設の「利用後」の体重データダル場合には、かかる日にちの「後」の列に位置する「体重」欄に、通知された数値を入力する。
【００４１】
また、入力受付処理部１１から会計要求の通知を受けたデータ課金算出処理部１３は、まず、受信した利用者コードに対応する利用者の身体データが蓄積されたレコードを、ハードディスク（１Ｂ）内の利用者データベース１６から読み出す。また、ハードディスク（１Ｂ）から、課金マップデータ１７を読み出す。そして、読み出した本日の利用前と利用後における所定の項目の身体データ、例えば、体重データをそれぞれ抽出し、これらの差分を算出する。その後、差分値を課金マップデータ１７にマッチングすることにより、当該差分値に対応する課金金額を算定し、その金額を会計出力処理部１４に通知する。
【００４２】
そして、会計出力処理部１４は、通知を受けた金額を会計端末３に送信する。これにより、会計端末３に通知された金額が表示され、当該金額が、施設スタッフを介して利用者に請求されたり、あるいは、会計端末３の金額表示を見た利用者に、直接的に要求されることとなる。
【００４３】
なお、上記課金マップデータ１７は、種々の設定が考えられるが、図４（ａ）に示す例では、利用者のフィットネスクラブの利用目的がトレーニングにて体重を減らすことであることとし、利用前の体重から利用後の体重を減算した結果の差分値が大きくなるにつれて課金金額が増加するよう設定されている。そして、この課金マップデータ１７は、一定の差分値Ｄ１を超えると、課金金額が一定Ｓ１となるよう設定されている。
【００４４】
これにより、利用者のトレーニングの成果に応じた金額が当該利用者に課金されることとなり、利用者にとって納得度の高い課金となり、利用者の退会を抑制することができる。このことは、利用者の利用促進を高める要因となり、さらには、新規利用者の参入の促進を図ることができる。さらに、利用者は、トレーニング成果に応じて利用料金を支払うため、トレーニング成果への意識の向上を図ることができ、さらなる利用促進を図ることができる。
【００４５】
なお、上述した課金マップデータ１７は、図４（ａ）に示すように課金金額が設定される特性のものであることに限定されない。例えば、一定の差分値と、一定の課金金額のみが設定されており、上記一定の差分値に達するか否かによって、一定の金額が課金されるか否かが算定される、という設定であってもよい。また、図４（ｂ）に示すように、成果の有無を問わず、一定の金額Ｓ１が課金されるよう設定されていて、さらに、トレーニングの成果に応じて課金される金額が増加する、というような課金マップデータが設定されていてもよい。
【００４６】
また、課金対象となる施設利用の成果は、同一の日の成果であることに限定されず、数日、あるいは、数ヶ月など、長期間にわたる成果を対象に課金としてもよい。例えば、課金算出処理部１３が、一ヶ月前の体重データと、本日の施設利用後の体重データとの差分を差分値として算出し、これに基づいて課金金額を算定してもよい。このように、施設利用後の身体データと比較される身体データ（基準身体データ）は、同一日の施設利用前の身体データであることに限らず、以前に計測した身体データ（施設利用前に計測したものであるか、利用後に計測したものであるかは問わない）であってもよい。これにより、その日のうちの成果に対応して課金することもでき、さらには、長期的な成果を考慮して課金することもできるため、利用者が希望するトレーニングのペースに応じた課金を設定することができ、利用者に利便性の向上を図ることができる。
【００４７】
さらに、施設利用後の身体データと比較される身体データ（基準身体データ）は、特定の身体要素（例えば、体重や身長などの項目）に関するデータの予め定められた目標値であってもよい。例えば、利用者の体系や生活習慣などから、利用者あるいは施設インストラクターなどによって目標とされる値が設定され、かかる値と利用後身体データとを比較し、これに基づいて課金金額を設定してもよい。
【００４８】
＜動作＞
次に、上記課金システムの動作を、図５乃至図６を参照して説明する。図５は、システム全体の動作を説明するシーケンス図であり、図６は、課金処理サーバ１の動作を示すフローチャートである。なお、この動作例の説明では、フィットネスクラブにて、その利用日のみにおける施設の利用成果（トレーニング成果）に応じて課金する、こととする。また、成果の対象項目として、体重のみに着目することとする。
【００４９】
まず、利用者は、フィットネスクラブに来店して、施設の利用を開始する前に、計測端末３に会員カードを読み取らせて会員を認識させると共に、成果の対象となる項目（体重、身長、胸囲、体脂肪率など）の計測を行う（ステップＳ１）。このとき、利用者は、計測端末３に対して「利用前」を指定するボタンと、計測項目を特定するボタンとを押し、ヘルスメータ３１に乗る。これにより、計測端末３は、利用者の施設利用前における体重データをヘルスメータ３１から取得することができる。あるいは、計測端末３に利用者から直接、所定の項目（身長など）の数値（身体データ）が入力されることで、これらの項目の計測値も入力することができる。そして、計測端末３は、計測データ等を課金処理サーバ１に送信する(ステップＳ２)。
【００５０】
これを受信した課金処理サーバ１は、利用者コードにて特定される利用者のレコードを利用者データベースから抽出して、本日の日にちのデータ欄を設定し、その「利用前」における各項目欄（体重欄など）に、通知された計測値を入力する（ステップＳ３）。その後、利用者は、フィットネスクラブ内のトレーニング器具（施設）を利用して、トレーニングを行う。このとき、自由にトレーニング器具などの施設を利用してトレーニングを行う。
【００５１】
トレーニング終了後、利用者は再度、上述同様に、計測端末３に対して施設利用後の各項目の計測を行う（ステップＳ４）。例えば、利用者と特定するための利用者コードを会員カードにて入力すると共に、「利用後」ボタンを押し、計測する項目を特定するボタンを押して、ヘルスメータ３１に乗ることで、当該利用者の体重が計測される。そして、計測端末３からは、計測した利用者の身体データが課金処理サーバ１に送信される（ステップＳ５）。
【００５２】
これを受信した課金処理サーバ１は、今度は、「利用後」における各項目欄（体重欄など）に、通知された計測値を入力して、身体データを利用者データベース１６に記憶する（ステップＳ６）。
【００５３】
その後、利用者が退店する際に、会計カウンターに設置してある会計端末２に対して会員カードの挿入し、会計要求を行う。このとき、会計端末２にて会員カードから読み出された利用者コードと、会計を要求する旨の情報が、会計端末２から課金処理サーバ１に送信される（ステップＳ７）。
【００５４】
そして、これを受けた課金処理サーバ１は、課金金額の算定処理を行う（ステップＳ８）。この処理の詳細を、図６のフローチャートに示す。会計端末２から会計要求を受けた課金処理サーバ１は（ステップＳ２１にて肯定判断）、同時に受信した利用者コードを認識し（ステップＳ２２）、かかるコードに該当する利用者のレコードを利用者データベース１６から抽出する（ステップＳ２３）。そして、本日の入店時（施設利用前）に計測した成果対象項目（体重）の計測値と、退店時に計測した計測値とを抽出して、これらの差分値を算出する（ステップＳ２４）。続いて、課金マップデータ１７を読み出して、当該マップデータとのマッチングを行い（ステップＳ２５）、課金金額の算定を行う（ステップＳ２６）。このとき、課金マップデータ１７が図４（ａ）に示すデータ内容のものである場合には、差分値が「ゼロ」あるいは「負」、すなわち、体重が施設利用後でも減少せず、成果が無いと言える場合には、本日の施設利用料となる課金金額が「ゼロ」となる。一方、体重の利用前の計測値から利用後の計測値を引いた差分値が「正」の場合には、課金マップデータ１７に基づいて差分値に対応する金額が利用料として算定されることとなる。そして、かかる金額が、課金処理サーバ１から会計端末２に通知される（ステップＳ１０，ステップＳ２７）。
【００５５】
これを受けた会計端末２は、自己に装備された表示部に、利用者に対して金額及び支払いを求める表示を行う（ステップＳ１０）。これに対して、利用者は、会計端末２に形成された金銭投入部に、要求された金銭を投入し、これにより、支払いが完了する。
【００５６】
以上のようにすることにより、トレーニング施設を利用した利用者に課金される利用料が、利用者のトレーニングの成果に応じて算定され、要求されるため、利用者にとって課金されること自体に納得できると共に、その金額はより納得度の高いものとなる。これにより、利用者の利用促進を高め、さらには、新規利用者の参入の促進を図ることができる。
【実施例２】
【００５７】
次に、本発明の第２の実施例を説明する。本実施例における課金システムは、上述したシステムとほぼ同一の構成を採っており、その動作もほぼ同一である。そして、本実施例で異なる点は、トレーニングの成果の対象が、単に身体要素の計測値から求められるものではなく、トレーニング施設によるトレーニングに関連した利用者の動作を計測したデータである点である。例えば、フィットネスクラブに用意されたスイミングスクールを利用する利用者の成果は、水泳による泳いだ距離やそのタイムとなり、また、ゴルフ練習場がトレーニング施設である場合には、ゴルフボールの飛距離などが該当する。そして、以前（その日の来店時、あるいは、数日や数ヶ月前）の計測値と、今回の退店時の計測値とを比較してトレーニングの成果を算出し、かかるトレーニングの成果に応じて課金される金額が算定されるよう構成されている。
【００５８】
従って、図３に示す利用者データベースの内容は、各トレーニングに応じた計測値（水泳によるタイム、ゴルフボールの飛距離など）を記憶する構成となり、また、図４に示す課金マップデータも、成果の対象に合わせて適切な課金金額が設定されるようなデータが用意されることとなる。
【００５９】
これにより、水泳にて泳いだタイムやゴルフでの飛距離など、種々のトレーニングの成果に応じて課金金額を算定することができるため、利用者の趣向に応じてあらゆる分野のトレーニング施設において、利用者の納得度の高い利用料としての課金を実現することができる。
【産業上の利用可能性】
【００６０】
本発明は、フィットネスクラブなどのあらゆるトレーニング施設にて、利用者に対してトレーニング成果に応じた利用料を課金するシステム（装置）として設置可能であり、産業上の利用可能性を有する。
【図面の簡単な説明】
【００６１】
【図１】課金システムの全体構成を示すブロック図である。
【図２】図１に開示した課金処理サーバの構成を示す機能ブロック図である。
【図３】図２に開示した利用者データベースの一例を示す説明図である。
【図４】図４（ａ），（ｂ）は、それぞれ図２に開示した課金マップデータの一例を示す説明図である。
【図５】課金システム全体の動作を示すシーケンス図である。
【図６】課金処理サーバの一部の動作を示すフローチャートである。
【符号の説明】
【００６２】
１  課金処理サーバ
２  会計端末
３  計測端末
１２  データ管理処理部
１３  課金算出処理部
１６  利用者データベース
１７  課金マップデータ
【図１】
2006079329.tif 000003
【図２】
2006079329.tif 000004
【図３】
2006079329.tif 000005
【図４】
2006079329.tif 000006
【図５】
2006079329.tif 000007
【図６】
2006079329.tif 000008